(57)【特許請求の範囲】
【請求項１】
各線間にそれぞれ入れる相間コンデンサと各線とアース間に入れる接地コンデンサとで構成されるとともに、電気機器の固定部分と接続するアース用端子片およびこの電気機器の端子台と接続する電源用端子片を有しこの電気機器に取り付けられる第１のコンデンサユニットと、
各線間にそれぞれ相間コンデンサで構成され、外部交流電源およびアースまたは負荷およびアースを接続する端子台を具備する第２のコンデンサユニットと、
少なくとも２以上のリング状の磁性体コアと、前記第１のコンデンサユニットおよび前記第２のコンデンサユニットを経由して、前記電気機器と前記外部交流電源または前記負荷とを接続する電源線と、を備え、
前記第１のコンデンサユニットおよび前記第２のコンデンサユニット間において、
前記磁性体コアを間隔を空けて配置するとともに、前記電源線一本毎を前記磁性体コアに通すことによりノーマルモードコイルを構成した部分と、前記磁性体コアを間隔を空けて配置するとともに、前記電源線を前記磁性体コアに通すことによりコモンモードコイルを構成した部分と、を有することを特徴とするノイズフィルタ。
【請求項２】
少なくとも１個以上のリング状のクッションを備え、前記磁性体コアを前記クッションを挟んで配置するとともに、前記電源線を前記磁性体コアおよび前記クッションに通すことによりコモンモードコイルを構成したことを特徴とする請求項１に記載のノイズフィルタ。
【発明の詳細な説明】
【０００１】
【発明の属する技術分野】
この発明は、ノイズを発生する電気機器の入力側または、出力側に設けるノイズフィルタに関するものである。
【０００２】
【従来の技術】
ノイズを発生する電気機器としては、内部でノイズを発生し、電源ラインにノイズを出すもの、また出力に接続する負荷または負荷に接続する電線からノイズを発生するものがあり、インバータ、サーボ、オーディオアンプ、増幅器、高周波発生器やテレビ、ラジオ、電気自動車駆動電源、コンピュータ等、種々の電気利用装置が該当する。ノイズを発生する電気機器として、家庭用および産業用に広く使用されているインバータを例に以下説明する。
【０００３】
図１３は従来のインバータの外形を示す図で、（ａ）は正面図、（ｂ）は側面図、（ｃ）は底面図である。図において、３０はインバータ、３１はインバータ本体、３２は放熱フィン、３３は冷却ファン、３４は開閉カバーである。
図１４は従来のインバータの外部との接続用端子の配列を示す図で、（ａ）は上述の図１３の開閉カバー３４を外した状態を示した図、（ｂ）は接続用端子と外部（つまり、交流電源を入力とし、モータ等の負荷を出力とする。）との接続を示した図である。図において、ＴＢ１，ＴＢ２，ＴＢ３は端子台である。
図１５は従来のインバータの端子結線図である。
【０００４】
上述の図１３乃至図１５に示したインバータにおいて、特に、ノイズ強度が高い場所は、主回路用端子部であり、交流電源入力用端子Ｒ，Ｓ，Ｔと、負荷への出力用端子Ｕ，Ｖ，Ｗには、ノイズ低減用としてノイズフィルタが使用されている。
【０００５】
図１６は、従来例としてのノイズフィルタをインバータに取り付けた図である。図において、３０はインバータ、３１はインバータ本体、３２は放熱フィン、３３は冷却ファン、３５はノイズフィルタである。一般にノイズフィルタは、例えば特開平１−１１７６６３号公報に記載されたもので、インダクタ素子、コンデンサを全てノイズフィルタのケース内に装入した構造のものである。
【０００６】
図１７は、従来例としてのインバータ装置を示す図で、特開平８−９８５２９号公報に記載されたものである。図において、１０１はインバータ部、１０２はインバータ部１０１のケース、１０３はフィルタ部、１０４はフィルタ部１０３のケース、１０５は冷却フィン、１０６，１０７はインバータ部１０１の端子台、１０８，１０９はフィルタ部１０３の端子台、１１０は導体バー、１１１はインバータ部１０１の取付用ネジ、１１２はフィルタ部の取付用ネジ、１１３はアース端子となるネジである。
【０００７】
これは、冷却フィンを基台として、この上にユニット化されたインバータ部とフィルタ部を搭載し、導体バーを用いてインバータ部の端子台とフィルタ部の端子台とを接続したものである。
【０００８】
図１８は、従来例としての端子台及びそれを用いた制御機器を示す図で、特開平８−３０８２５０号公報に記載されたものである。図において、１２０はインバータ、１２１はインバータ１２０の端子台、１２２はインバータ１２０の雌端子、１２３はノイズフィルタ等の付加装置、１２４は付加装置１２３の雌端子、１２５は付加装置１２３の雄端子、１２６はインバータ１２０の放熱フィン、１２７は付加装置１２３の放熱フィン、１２８は交流電源、１２９はモータである。
【０００９】
これは、インバータに雌端子を備えた端子台を具備し、付加装置に雄端子と雌端子とを具備して、インバータと付加装置との接続を、付加装置の雄端子を端子台の雌端子に装着することにより接続され、かつ、インバータと付加装置とが密着してなされることとしたものである。
【００１０】
上述の従来のノイズフィルタは、インバータの周辺装置として単体の製品であり、インダクタ素子、コンデンサを全てケース内に装入しているので、小型化が困難であり、インバータの小型化がそのまま、インバータおよびノイズフィルタ等のインバータの周辺装置を取り付ける制御盤の小型化に結びつかないという問題点があった。
【００１１】
図１９は、従来例としてのノイズフィルタを示す図で、特開平７−２２８８６号公報に記載された交流電源と電子機器との間に挿入するノイズフィルタである。図において、３９はノイズフィルタ、４０は磁性体のコア、４１はクッション、４２，４３，４４は電線、４５は入力部、４６は出力部、４７は被覆、４８は磁性チューブである。クッション４１は、ゴムやスポンジ等の弾力性のある材料でできているリング状の緩衝材である。磁性体のコア４０は、フェライトやアモルファス等の磁性体のリング状になったトロイダルコアであり、磁路を電線４２，４３，４４の周囲方向に構成する。被覆４７は、ゴムやビニール等の伸縮性のある材料かまたは繊維を編んだものを使用する。磁性チューブ４８は、クッション４１及び被覆４７が伸縮するので自在に曲げることができる。
【００１２】
また、５１，５２，５３は入力端子、５４，５５，５６は出力端子、Ｃ１，Ｃ２，Ｃ３は入力端子５１，５２，５３の相互間に接続されるコンデンサ、Ｃ４，Ｃ５，Ｃ６は出力端子５４，５５，５６の相互間に接続されるコンデンサ、Ｃ７，Ｃ８，Ｃ９は出力端子５４，５５，５６とアース端子Ｅ間に接続されるコンデンサである。磁性チューブ４８は、コモンモードチョークコイルを構成し、入力端子５１，５２，５３の相互間に接続されるコンデンサＣ１，Ｃ２，Ｃ３と出力端子５４，５５，５６の相互間に接続されるコンデンサＣ４，Ｃ５，Ｃ６および出力端子５４，５５，５６とアース端子Ｅ間に接続されるコンデンサＣ７，Ｃ８，Ｃ９により、ノイズフィルタ３９を構成する。
【００１３】
このノイズフィルタは、離れた距離の入力端子と出力端子をそれぞれ接続する電線を、磁性体の磁路が電線の周囲方向に構成される屈曲構造の磁性チューブに通したものである。このノイズフィルタは、自在に曲げることができるので、入力部と出力部が異なる位置に設定することができ、配線の一部として使用できるので、省スペースであり、ノイズフィルタを組み込む装置の組み立てコストが安くなる。
【００１４】
【発明が解決しようとする課題】
上記のような従来のノイズフィルタは、自在に曲げることができ、入力部と出力部が異なる位置に設定することができるので、配線の一部として使用できるが、インバータ等の電気機器に取り付ける場合においては、ノイズフィルタの出力部または入力部はインバータ等の電気機器とは別途に取り付けねばならないという問題点があった。
【００１５】
この発明は、上述のような課題を解決するためになされたもので、電気機器に付属するノイズフィルタを小型にするとともに、電気機器や交流電源への接続を容易にすることができるノイズフィルタを得ることを目的とする。
【００１６】
【課題を解決するための手段】
この発明におけるノイズフィルタは、各線間にそれぞれ入れる相間コンデンサと各線とアース間に入れる接地コンデンサとで構成されるとともに、電気機器の固定部分と接続するアース用端子片およびこの電気機器の端子台と接続する電源用端子片を有しこの電気機器に取り付けられる第１のコンデンサユニットと、各線間にそれぞれ相間コンデンサで構成され、外部交流電源およびアースまたは負荷およびアースを接続する端子台を具備する第２のコンデンサユニットと、少なくとも２以上のリング状の磁性体コアと、第１のコンデンサユニットおよび第２のコンデンサユニットを経由して、電気機器と外部交流電源または負荷とを接続する電源線と、を備え、前記第１のコンデンサユニットおよび前記第２のコンデンサユニット間において、前記磁性体コアを間隔を空けて配置するとともに、前記電源線一本毎を前記磁性体コアに通すことによりノーマルモードコイルを構成した部分と、前記磁性体コアを間隔を空けて配置するとともに、前記電源線を前記磁性体コアに通すことによりコモンモードコイルを構成した部分と、を有するようにしたものである。
【００１７】
【００１８】
【００１９】
【００２０】
【００２１】
【００２２】
また、この発明におけるノイズフィルタは、少なくとも１個以上のリング状のクッションを備え、磁性体コアをクッションを挟んで配置するとともに、電源線を磁性体コアおよびクッションに通すことによりコモンモードコイルを構成した部分と、を有するものである。
【００２３】
【００２４】
【００２５】
【００２６】
【００２７】
【００２８】
【００２９】
【発明の実施の形態】
参考例１．
図１はこの発明の参考例１に係るノイズフィルタの構成図である。図において、１は各線間にそれぞれ入れる相間コンデンサ（以後、Ｘコンと記す）と各線とアース間に入れる接地コンデンサ（以後、Ｙコンと記す）とで構成されるとともに、端子片を有し、インバータなどの電気機器（図示せず）の端子台およびこの電気機器の固定部分に取り付けられる第１のコンデンサユニット、２はＸコンで構成され、外部交流電源（図示せず）およびアース（図示せず）または負荷（図示せず）およびアース（図示せず）を接続する端子台を具備する第２のコンデンサユニット、３はアモルファスコアやフェライトコア等で構成されるリング状の磁性体コア、４はスポンジやゴム、バネ等で構成されるクッション、５は第１のコンデンサユニット１および第２のコンデンサユニット２を経由して、電気機器と外部交流電源または負荷とを接続する電源線、６は複数の磁性体コア３およびクッション４から構成され、電源線５を通すことによりコモンモードコイルを構成する磁性体チューブである。また、７は電気機器と接続する電源Ｒ，Ｓ，Ｔの端子片、８は電気機器と接続するアースＥの端子片、９は外部交流電源およびアースを接続するＲ，Ｓ，Ｔ，Ｅの端子台である。
【００３０】
参考例１における磁性チューブ６は、コモンモードチョークコイルとしての働きをする。ＸコンやＹコンを内蔵し端子台として構成したコンデンサユニット１，２と、電源線５を通した磁性チューブ６との構成により、ノイズフィルタと同等の動作をすることができる。
【００３１】
図２はこの発明の参考例１に係るノイズフィルタの取り付け図である。図において、１〜９は図１と同様であり、説明を省略する。また、１１ａは電気機器としてのインバータ、１２はインバータ１１ａの入力端子台、１３はインバータ１１ａの放熱フィン、１４は外部交流電源である。図２は、図１に示したノイズフィルタをインバータ１１ａと外部交流電源１４との間に取り付けたもので、コンデンサユニット１の端子片７，８はインバータ１１ａの入力端子台１２及び放熱フィン１３等の固定部分に取り付けられ、コンデンサユニット２の端子台９に外部交流電源１４およびアースを接続する。
【００３２】
図３はこの発明の参考例１に係るノイズフィルタの配線図である。図において、１〜３、６、１１ａ、１４、１５は図２と同様であり、その説明を省略する。Ｒ１，Ｓ１，Ｔ１，Ｅ１はコンデンサユニット２の電源用端子およびアース用端子、Ｒ２，Ｓ２，Ｔ２，Ｅ２はコンデンサユニット１の電源用端子およびアース用端子である。
【００３３】
参考例１におけるノイズフィルタを構成する磁性チューブ６は、自由に曲げることができるので、インバータ１１ａ並びに周辺機器としてのノーフューズブレーカ（図示せず）および電磁接触器（図示せず）などの制御盤内の配置の空スペースを利用して配線することができ、実質的に制御盤が小型になる。また、コンデンサユニット１，２にＸコンやＹコンを内蔵し端子台として構成したので、配線しやすく、さらにコンデンサユニット１を、インバータ１１ａの入力端子台１２及び筐体または放熱フィン１３にねじ止め等で固定できるようにすれば、速やかに装着でき、配線も短時間で行うことができる。
【００３４】
上述の説明においては、磁性体コアをクッションを挟んで配置するとともに、電源線を磁性体コアおよびクッションに通すことによりコモンモードコイルを構成した例を示したが、磁性体コアを間隔を空けて配置するとともに、電源線を磁性体コアに通すことによりコモンモードコイルを構成してもよい。
【００３５】
インバータに付属するノイズフィルタを、自在に屈曲する磁性チューブと、入力側および出力側に設けたコンデンサユニットにより構成したので、制御盤のスペースを有効に利用できるとともにインバータに付属するコンデンサユニットを小さくでき、入力側のコンデンサユニットは端子台を取り付けることにより交流電源を接続しやすくし、外観上も特にノイズフィルタとして目立たないきれいな配線ができる。
【００３６】
参考例２．
図４は、この発明の参考例２に係るノイズフィルタの取り付け図である。図において、２〜６、９、１２〜１４は図２と同様であり、その説明を省略する。１１ｂはインバータ、１５，１６はＸコン、Ｙコン等のコンデンサで、第３のコンデンサユニットはインバータ１１ｂ内に内蔵されたＸコン、Ｙコン等のコンデンサ１５，１６で構成される。
参考例２は、参考例１においてコンデンサユニット１に内蔵されたＸコン、Ｙコン等のコンデンサをインバータ１１ｂ内に内蔵するようにしたもので、コンデンサユニット１が不要になるので、さらに小型に構成できる。
【００３７】
参考例３．
図５は、この発明の参考例３に係るノイズフィルタの取り付け図である。図において、１〜９、１１ａ、１２〜１４は図２と同様であり、その説明を省略する。１７は磁性チューブ６に伸縮性のある柔らかいチューブを被せたものである。磁性チューブ６の磁性体３、クッション４を安定に保持できるとともに、外観が良くなる。
【００３８】
参考例４．
図６は、この発明の参考例４に係るノイズフィルタの取り付け図である。図において、１〜９、１１ａ、１２〜１４は図２と同様であり、その説明を省略する。１８は磁性チューブ６に添わせて付けるアース線である。インバータ１１ａ及びコンデンサユニット２は、一般に同一の制御盤内に取り付けられ、取り付ける面はアース電位であることが多いが、参考例４はインバータ１１ａの取り付け部とコンデンサユニット２の取り付け部が絶縁されている場合に有効である。
【００３９】
参考例５．
図７は、この発明の参考例５に係るノイズフィルタの取り付け図である。図において、１〜９、１１ａ、１２〜１４は図２と同様であり、その説明を省略する。１９は磁性チューブ６を覆う導体の網である。導体の網１９で磁性チューブ６を覆ったので、シールド効果があり、またアース線の作用を持たせることができる。
【００４０】
実施の形態１．
図８は、この発明の実施の形態１に係るノイズフィルタの取り付け図である。図において、１〜５、７〜９、１１ａ、１２〜１４は図２と同様であり、その説明を省略する。上述の参考例１〜５においては、磁性体３に電源線５を全て通した例を示したが、実施の形態１では磁性体３に電源線５を全て通した箇所と磁性体３にそれぞれの電源線５を一本毎に通した箇所とで構成するようにしたものである。磁性体３にそれぞれの電源線５を一本毎に通した箇所はノーマルモードのコアとして作用するので、磁性体３に電源線５を全て通した箇所のコモンモード作用と一体に組むことにより特性の良いノイズフィルタを構成できる。
【００４１】
実施の形態２．
図９は、この発明の実施の形態２に係るノイズフィルタの取り付け図である。図において、１〜５、７〜９、１１ａ、１２〜１４は図２と同様であり、その説明を省略する。２０はＸコン（またはＹコン）で構成され、モータ２２およびアースを接続する端子台２１を具備するコンデンサユニットである。実施の形態２インバータ１１ａの入力側と交流電源１４との間に設けるノイズフィルタと、インバータ１１ａの出力に接続するモータ２２との間に設けるノイズフィルタとの双方で構成したものである。
【００４２】
図１０は、この発明の実施の形態２に係るノイズフィルタの配線図である。図において、１〜３、１１ａ、１４、２０、２２は図９と同様であり、その説明を省略する。Ｒ１，Ｓ１，Ｔ１，Ｅ１はコンデンサユニット２の電源用端子およびアース用端子、Ｒ２，Ｓ２，Ｔ２，Ｅ２はコンデンサユニット１の電源用端子およびアース用端子、Ｕ１，Ｖ１，Ｗ１はインバータ１１ａの出力端子、Ｕ２，Ｖ２，Ｗ２，Ｅはコンデンサユニット２０の出力端子およびアース用端子である。
【００４３】
インバータ１１ａ，１１ｂと交流電源１４との接続は、上述の参考例１〜５に記載のコモンモード作用のノイズフィルタを経由して接続し、インバータ１１ａとモータ２２との接続は、上述の実施の形態１に記載のノーマルモードおよびコモンモード作用のノイズフィルタを経由して接続したもので、インバータ１１ａの高周波ノイズを低減するためノイズフィルタを構成する。一般に、インバータ１１ａの出力端子Ｕ１、Ｖ１、Ｗ１にはＸコンＹコンは設けないが、小さな静電容量であれば使用することができる。
【００４４】
参考例６．
図１１は、この発明の参考例６に係るノイズフィルタの取り付け図である。図において、１、２、５、７〜９、１１ａ、１２〜１４は図２と同様であり、その説明を省略する。
上述の参考例１〜５および実施の形態１、２では、磁性体３やクッション４を使用して磁性チューブ６とした例を示したが、参考例６ではコンデンサユニット１とコンデンサユニット２との間を接続する電源線５がある程度長くなると、それ自身が持つインダクタンスが大きくなることを利用して、磁性体３やクッション４を使用せず電源線５のみとしたものである。
【００４５】
電源線５は編んだり、所々を縛ったりすることによりばらばらにならずにフレキシブルな磁性チューブとして作用し、しかも非常に安価に製造できる。また、電源線５を柔軟なチューブ（シリコンチューブ、ビニールチューブ等）で覆うことにより外観も良くなる。
【００４６】
参考例７．
図１２は、この発明の参考例７に係るノイズフィルタの取り付け図である。図において、１、２、７〜９、１１ａ、１２〜１４は図２と同様であり、その説明を省略する。２３はプラスチック等の容器に収納された磁性体である。
プラスチック等の容器に収納された磁性体２３を複数個連結することにより構成したので、柔軟に屈曲させることが可能な磁性チューブを得ることができる。また、プラスチック等の容器に収納された磁性体２３として開閉可能な構造のも
の利用することで、配線後であっても装着できるので、ノイズフィルタが容易に構成できる。
【００４７】
【発明の効果】
この発明は、以上説明したように構成されているので、以下に示すような効果を奏する。
【００４８】
電源線を、間隔を空けて配置した磁性体コアに通すことによりコモンモードコイルを構成したので、制御盤内の配置の空スペースを利用して配線することができ、さらにコンデンサユニット１を電気機器の固定部分と接続するアース用端子片およびこの電気機器の端子台と接続する電源用端子片を有する構成とし、電気機器に固定し、一体化するようにしたので、制御盤を小型化することができる。
【００４９】
【００５０】
【００５１】
【００５２】
さらに、磁性体に電源線を全て通した箇所と磁性体にそれぞれの電源線を一本毎に通した箇所とで構成するようにしたので、磁性体にそれぞれの電源線を一本毎に通した箇所はノーマルモードのコアとして作用するので、磁性体に電源線を全て通した箇所のコモンモード作用と一体に組むことにより特性の良いノイズフィルタを構成できる。
【００５３】
また、電源線をクッションを挟んで配置した磁性体コアに通すことによりコモンモードコイルを構成したので、制御盤内の配置の空スペースを利用して配線することができる。
【００５４】
【００５５】
【００５６】
【００５７】
【００５８】
【図面の簡単な説明】
【図１】  この発明の参考例１に係るノイズフィルタの構成図である。
【図２】  この発明の参考例１に係るノイズフィルタの取り付け図である。
【図３】  この発明の参考例１に係るノイズフィルタの配線図である。
【図４】  この発明の参考例２とに係るノイズフィルタおよびインバータを制御盤内に取り付けた状態を示す図である。
【図５】  この発明の参考例３に係るノイズフィルタの取り付け図である。
【図６】  この発明の参考例４に係るノイズフィルタの取り付け図である。
【図７】  この発明の参考例５に係るノイズフィルタの取り付け図である。
【図８】  この発明の実施の形態１に係るノイズフィルタの取り付け図である。
【図９】  この発明の実施の形態２に係るノイズフィルタの取り付け図である。
【図１０】  この発明の実施の形態２に係るノイズフィルタの配線図である。
【図１１】  この発明の参考例６に係るノイズフィルタの取り付け図である。
【図１２】  この発明の参考例７に係るノイズフィルタの取り付け図である。
【図１３】  従来のインバータの外形を示す図である。
【図１４】  従来のインバータの外部との接続用端子の配列を示す図である。
【図１５】  従来のインバータの端子結線図である。
【図１６】  従来例としてのノイズフィルタをインバータに取り付けた図である。
【図１７】  従来例としてのインバータ装置を示す図である。
【図１８】  従来例としての端子台及びそれを用いた制御機器を示す図である。
【図１９】  従来例としてのノイズフィルタを示す図である。
【符号の説明】
１  第１のコンデンサユニット、  ２  第２のコンデンサユニット、  ３  リング状の磁性体コア、  ４  クッション、  ５  電源線、  ６  磁性体チューブ、  ７  電源Ｒ，Ｓ，Ｔの端子片、  ８  アースＥの端子片、  ９  Ｒ，Ｓ，Ｔ，Ｅの端子台、  １１ａ，１１ｂ  インバータ、  １２  入力端子台、  １３  放熱フィン、  １４  外部交流電源、  １５，１６  第３のコンデンサユニットを構成するＸコン、Ｙコン等のコンデンサ、  １７  伸縮性のある柔らかいチューブ、  １８  アース線、  １９  導体の網、  ２０  コンデンサユニット、  ２１  端子台、  ２２  モータ、  ２３  プラスチック等の容器に収納された磁性体、  Ｒ１，Ｓ１，Ｔ１，Ｅ１  コンデンサユニット２の電源用端子およびアース用端子、  Ｒ２，Ｓ２，Ｔ２，Ｅ２  コンデンサユニット１の電源用端子およびアース用端子、  Ｕ１，Ｖ１，Ｗ１  インバータ１１ａの出力端子、  Ｕ２，Ｖ２，Ｗ２，Ｅ  コンデンサユニット２０の出力端子およびアース用端子、  ３０  インバータ、  ３１  インバータ本体、  ３２  放熱フィン、  ３３  冷却ファン、  ３４  開閉カバー、  ３５  ノイズフィルタ、  ３９  ノイズフィルタ、  ４０  磁性体のコア、  ４１  クッション、  ４２，４３，４４  電線、  ４５  入力部、  ４６  出力部、  ４７  被覆、  ４８  磁性チューブ、  ５１，５２，５３  入力端子、  ５４，５５，５６  出力端子、  １０１  インバータ部、  １０２  インバータ部１０１のケース、  １０３  フィルタ部、  １０４  フィルタ部１０３のケース、  １０５  冷却フィン、  １０６，１０７  インバータ部１０１の端子台、  １０８，１０９  フィルタ部１０３の端子台、  １１０  導体バー、  １１１  インバータ部１０１の取付用ネジ、  １１２  フィルタ部の取付用ネジ、  １１３  アース端子となるネジ、  １２０  インバータ、  １２１  インバータ１２０の端子台、  １２２  インバータ１２０の雌端子、  １２３  ノイズフィルタ等の付加装置、  １２４  付加装置１２３の雌端子、  １２５  付加装置１２３の雄端子、  １２６  インバータ１２０の放熱フィン、  １２７  付加装置１２３の放熱フィン、  １２８  交流電源、  １２９  モータ、  Ｃ１，Ｃ２，Ｃ３  入力端子５１，５２，５３の相互間に接続されるコンデンサ、  Ｃ４，Ｃ５，Ｃ６  出力端子５４，５５，５６の相互間に接続されるコンデンサ、  Ｃ７，Ｃ８，Ｃ９  出力端子５４，５５，５６とアース端子Ｅ間に接続されるコンデンサ、  ＴＢ１，ＴＢ２，ＴＢ３  インバータ３０の端子台。
【図１】
0003767165.tif 000002
【図２】
0003767165.tif 000003
【図３】
0003767165.tif 000004
【図４】
0003767165.tif 000005
【図５】
0003767165.tif 000006
【図６】
0003767165.tif 000007
【図７】
0003767165.tif 000008
【図８】
0003767165.tif 000009
【図９】
0003767165.tif 000010
【図１０】
0003767165.tif 000011
【図１１】
0003767165.tif 000012
【図１２】
0003767165.tif 000013
【図１３】
0003767165.tif 000014
【図１４】
0003767165.tif 000015
【図１５】
0003767165.tif 000016
【図１６】
0003767165.tif 000017
【図１７】
0003767165.tif 000018
【図１８】
0003767165.tif 000019
【図１９】
0003767165.tif 000020